(57)【要約】【課題】本発明は、光学手段を結露させることなく、電力削減可能な光学手段の結露防止手段を具備した画像読み取り装置を提供することを目的とする。【解決手段】読み取り部を冷却するために、読み取り部外部から読み取り部内部へ送風する送風手段と、読み取り部の温度検出手段と、読み取り部の作動を制御する制御部とを有し、読み取り部の温度検出値がある値以下の場合に送風手段を作動させる。または、読み取り部の作動を制御する制御部の電源が作動した場合、ある一定時間前記送風手段を作動させるようにする。【選択図】　　　図１
2004109459.tif 000002
【特許請求の範囲】
【請求項１】
原稿を載置する原稿台ガラスと、原稿を照明する光源と、前記原稿台ガラスと略平行に移動可能に支持され、前記光源を保持し原稿を走査する光走査手段と、前記光走査手段により得られた光学像を結像させる結像手段と、前記結像手段によって結像された画像を光電変換する光電変換手段と、を含む読み取り部と、前記読み取り部を冷却するために、前記読み取り部外部から読み取り部内部へ送風する送風手段と、前記読み取り部の温度検出手段と、前記読み取り部の作動を制御する制御部とを有し、
前記読み取り部の温度検出値がある値以下の場合に前記送風手段を作動させることを特徴とする画像読取装置。
【請求項２】
原稿を載置する原稿台ガラスと、原稿を照明する光源と、前記原稿台ガラスと略平行に移動可能に支持され、前記光源を保持し原稿を走査する光走査手段と、前記光走査手段により得られた光学像を結像させる結像手段と、前記結像手段によって結像された画像を光電変換する光電変換手段と、を含む読み取り部と、前記読み取り部を冷却するために、前記読み取り部外部から読み取り部内部へ送風する送風手段と、前記読み取り部の作動を制御する制御部とを有し、
前記読み取り部の作動を制御する制御部の電源が作動した場合、ある一定時間前記送風手段を作動させることを特徴とする画像読取装置。
【発明の詳細な説明】
【０００１】
【発明の属する技術分野】
本発明はＯＣＲ（光学的文字認識装置）ＤＴＰ等のスキャナ等に用いられる画像読み取り装置及び画像読み取り装置を有する電子写真画像形成装置に関するものである。
【０００２】
【従来の技術】
従来より、この種の画像読み取り装置に於いては、例えば特開平１０−２１０２２０、特開平１１−１８４０２２等で開示されているように、読み取り系のミラー近傍にヒータが配置され、環境によってユーザがヒータのＯＮ／ＯＦＦを選択していた。これは、北海道など低温環境下におかれた機械が夜間電源の通電をＯＦＦされ、機械が冷え切った状態において、朝一番にやかんの置かれたストーブ又はエアコンを動作させられた場合、室内の温度に機械自身の温度上昇が追いつかず、機械の中の特に光学系が結露を起こして画像不良を発生させるのを防ぐためである。
【０００３】
【発明が解決しようとする課題】
しかしながら、この従来の結露防止ヒータは数十Ｗ程度のセメントヒータでありＡＣ電力を通電させることで熱を発生させる構成であるため、最近規制が厳しくなっている省エネ対策のための電力削減が困難な状況であった。
【０００４】
またヒータに電力供給のためのＡＣ回路をおよびその安全回路を設けなければならないため構成が複雑になりかつコストアップにつながるという欠点がある。
【０００５】
本発明は光学手段を結露させることなく、電力削減可能な光学手段の結露防止手段を具備した画像読み取り装置を提供することを目的とする。
【０００６】
【課題を解決するための手段】
以上のような問題を解決するため、本発明における画像読取装置は、原稿を載置する原稿台ガラスと、原稿を照明する光源と、原稿台ガラスと略平行に移動可能に支持され、前記光源を保持し原稿を走査する光走査手段と、光走査手段により得られた光学像を結像させる結像手段と、結像手段によって結像された画像を光電変換する光電変換手段と、を含む読み取り部と、読み取り部を冷却するために、読み取り部外部から読み取り部内部へ送風する送風手段と、読み取り部の温度検出手段と、前記読み取り部の作動を制御する制御部とを有し、読み取り部の温度検出値がある値以下の場合に前記送風手段を作動させることを特徴とする。このことより、光学手段を結露させることなく、電力削減可能な光学手段の結露防止手段を具備した画像読み取り装置を提供することが可能になる。
【０００７】
【発明の実施の形態】
（第ｌの実施例）
図１は、本発明を適用したデジタルスキャナの概略構成を示す断面図である。１０１はスキャナ本体、２０１はこの本体に着脱自在に構成されたＡＤＦである。ＡＤＦ２０１は、セットされた原稿２０２を搬送ローラ２０３〜２０８およびプラテンローラ２０９により、スキャナ本体１０１の流し読みガラス１０２に搬送して排紙トレイ１０３に回収する。
【０００８】
スキャナ本体１０１は、原稿を照射する光源１０３、ミラー１０４、１０５、１０６、レンズ１０７、ＣＣＤ１０８を有し、光源１０３およびミラー１０４は第１の光学台１０９に、ミラー１０５、１０６は第２の光学台１１０にそれぞれ取り付けられている。光学台１０９、１１０はワイヤーによってステッピングモータ（不図示）と結ばれ、ステッピングモータの回転により原稿台ガラス１１１と平行に移動制御される。１１２は高速で駆動されるＣＣＤ駆動回路より発生する電気的放射ノイズがスキャナ本体の外に出ないよう、ＣＣＤの周辺を遮蔽するＣＣＤカバー、１１４はＣＣＤカバーの左側側面に設けられた整流板である。
【０００９】
このような構成で、ＡＤＦ２０１の働きによって移動している原稿を読み取る流し読みを行なう際には、ステッピングモータ（不図示）によってあらかじめ設定された流し読み位置に第１の光学台１０９を移動させ、静止させる。原稿２０２は搬送ローラ２０３〜２０８およびプラテンローラ２０９によって搬送され、流し読みガラス１０２とプラテンローラ２０９の間を通過する過程で光源１０３によって光を照射され、第１ミラー１０４、第２ミラー１０５、第３ミラー１０６、レンズ１０７を介してＣＣＤ１０８に光学的に走査される。ＡＤＦ２０１には複数の原稿を載置可能であるから、すべての原稿を走査し終わるまで光源１０３は連続点灯される。ファン１１３は流し読み時に第１の光学台１０９が静止した際の光源１０３の左側近傍に配置され、光源１０３が点灯している間、光源１０３の冷却のために回転し、機外の空気を機内に送風する。
【００１０】
図２には図１に示したデジタルスキャナの上視図を示す。なお、ＡＤＦ２０１は図２では省略している。図２に画かれた第１光学台１０９・第２光学台１１０の位置は流し読み時の位置を示している。
【００１１】
冬場など夜間比較的室温の下がる環境に画像形成装置が置かれた場合、画像形成装置自体も休止しており、画像形成装置の温度はかなり下がると考えられる。この状態で、朝エアコン等の暖房器具が作動し場合、室内温度及び湿度はあるところまで急激に上昇することになる。この時、装置は結露を起こす可能性があり、特に画像形成装置の電源が投入されてウォームアップ状態となっても、スキャナ１０１の光学ミラーは暖まりにくいところに位置し、結露したまま装置を作動させる可能性がある。そこで、光学手段のミラーに関しては、結露しないようにする必要がある。
【００１２】
図３に飽和水蒸気曲線を示す。このグラフからわかるように、結露はある一定の湿度において、ある温度以下のとき発生する。このため温度を監視すれば結露の発生が推定できる。結露を起こすような環境の部屋においては、異常な高温高湿になるとは考えられず、結露はミラー５の温度の低い状態で起こると予想される。実験によると、冬場の通常湿度におけるミラーの表面に水滴が付着することになる状態の温度は、図３に破線で示した付近であった。
【００１３】
次に本発明の動作について説明を行う。温度がある一定値まで下がると、マイクロプロセッサでファン１１３への通電が開始される。そして、ファン１１３が通電されることによって室内の空気がスキャナ本体１０１に送り込まれる。結果結露を始めた光学手段が暖められはじめ、やがて結露が解除される。スキャナ本体１０１の温度検出センサーがある一定値を超えたならば、スイッチ４４がＯＦＦし、ファン１１３の通電が解除される。再び、温度検出センサーの出力に変化が生じた場合は、前記プロセスを繰り返す。また、この間に画像形成装置本体の電源が投入された時には、表示部に警告表示を行い画像形成装置はコピー不可状態とする。そして、前記センサー２１の出力が変化開始前に戻った状態で、スタンバイに復帰する。
【００１４】
ＣＣＤカバー１１２の壁面に向かった風の流れの一部は、光路を確保するためにＣＣＤカバー１１２に設けられた開口部よりＣＣＤカバー１１２の中に入り、レンズ１０７およびＣＣＤ１０８の周りを流れる。このことにより、本デジタルスキャナが置かれた空間の室温が急激に上昇した場合にレンズ１０７やＣＣＤ１０８に生じる結露を、従来よりも早く解消することが可能となる。
【００１５】
また、ＣＣＤカバーの中により多くの風を流すために、ＣＣＤカバーの左側面や上面に大きな穴をあけるか、たくさんの穴をあければ、結露を早く解消する効果が得られる。
【００１６】
また、ファンを配置するのはスキャナ本体の奥側に限られたものではなく、手前側に配置しても本実施例と同様の効果が得られる。配置するファンの数は一つに限られたものではなく、複数設けることによって効果を高めることが可能であるが、消費電力が増大するとともに騒音にも悪影響を与えるため、一つであることが望ましい。
【００１７】
（第２の実施例）
本発明の第２の実施例について説明する。本実施例では第１の実施例の温度検知センサーを必要としない場合である。前記読み取り部の作動を制御する制御部の電源が作動した場合、ある一定時間前記ファンを作動させる、その後停止させる。ファンを作動させる時間はファンの数及び風量等によって決定される実験値である。
【００１８】
（第３の実施例）
図４を用いて本実施例では第１の実施例で用いた温度検知センサーの代わりに温湿度検知センサーを用いる場合である。
【００１９】
【発明の効果】
以上説明したように、本発明によれば、原稿を載置する原稿台ガラスと、原稿を照明する光源と、原稿台ガラスと略平行に移動可能に支持され、光源を保持し原稿を走査する光走査手段と、前記光走査手段により得られた光学像を結像させる結像手段と、結像手段によって結像された画像を光電変換する光電変換手段と、を含む読み取り部と、読み取り部を冷却するために、読み取り部外部から読み取り部内部へ送風する送風手段と、読み取り部の温度検出手段と、読み取り部の作動を制御する制御部とを有し、読み取り部の温度検出値がある値以下の場合に送風手段を作動させることにより、光学手段を結露させることなく、電力削減可能な光学手段の結露防止手段を具備した画像読み取り装置を提供することが可能になる。
【図面の簡単な説明】
【図１】本発明を実施した画像読取装置の第１の実施例における概略構成を示す断面図である。
【図２】図１に示した本発明の概略構成を上から見た図である。
【図３】飽和水蒸気量を示す図である。
【図４】本発明を実施した画像読取装置の第３の実施例における概略構成を示す図である。
【符号の説明】
１０１　画像読取装置本体
２０１　自動原稿搬送装置（ＡＤＦ）
１０３　光源
１０７　結像手段
１０８　光電変換手段
１１２　板金カバー
１１３　送風手段
１１４　整流手段
【図１】
2004109459.tif 000003
【図２】
2004109459.tif 000004
【図３】
2004109459.tif 000005
【図４】
2004109459.tif 000006